(57)【要約】【課題】使用していないときに、通行する人がハンガー等に衝突するおそれがある。【解決手段】水平方向へ並べて設けた一対のレール８，８間に移動自在に台車１１を設け、一端が固定され他端が巻回手段１９に導かれたワイヤ１６を一対の滑車１４間から垂下し、垂下したワイヤ１６に動滑車２１を介してハンガー２２を吊り下げる。【選択図】　図１
2004089427.tif 000002
【特許請求の範囲】
【請求項１】
天井に布設した一対のレールの間に当該レールに沿って移動自在な台車を設け、当該台車にはレールと略直角であって相互に略平行な軸心を有する一対の滑車を設け、レールに沿って配設された索条部材の一端を固定するとともに台車とは離れた位置に設けられて索条部材を巻き取ったり巻き戻したりするための巻回手段に他端を巻回し、前記索条部材を前記一対の滑車に掛けるとともに一対の滑車の間から垂下した索条部材に動滑車を介してハンガーを吊り下げたことを特徴とする介護用リフト。
【発明の詳細な説明】
【０００１】
【発明の属する技術分野】
本発明は介護用リフトに関し、ハンガーをレールの高さまで上昇できるようにしたものである。
【０００２】
【従来の技術】
介護が必要な人を移動させるには、介護用リフトが用いられる。従来の介護用リフトの構造を図４に示す。図のように天井に断面形状がＩ形状のレール１が布設され、リフト本体２の上にレール１を挾むようにして設けられた一対のステー３の対向面に、レール１の上に載る一対の車輪４が設けられている。リフト本体２にはワイヤ５を介してハンガー６が吊り下げられている。
【０００３】
リフト本体２の内部にはワイヤ５をドラムに巻回することでハンガー６を昇降させる駆動手段が設けられている。また、車輪４を駆動してリフト本体２をレール１に沿って走行させる駆動手段も設けられている。
【０００４】
被介護者を移動させるには、被介護者を吊り下げるロープをハンガー６に引っ掛けたのちに、ワイヤ５をドラムに巻回することでハンガー６と共に被介護者を吊り上げる。次に、車輪４を駆動するか又は介護する人が被介護者を押すことによって移動させ、ワイヤ５をドラムから巻き戻すことで被介護者を降ろす。そして、介護用リフトを使用した後はハンガー６を最上位置まで上昇させておく。
【０００５】
【発明が解決しようとする課題】
ところが、レールを天井の低い家屋に取り付けると、介護用リフトを使用していないときにハンガーやリフト本体に人の頭が衝突するという問題がある。
【０００６】
そこで本発明は、斯かる課題を解決した介護用リフトを提供することを目的とする。
【０００７】
【課題を解決するための手段】
斯かる目的を達成するための請求項１に係る介護用リフトの構成は、天井に布設した一対のレールの間に当該レールに沿って移動自在な台車を設け、当該台車にはレールと略直角であって相互に略平行な軸心を有する一対の滑車を設け、レールに沿って配設された索条部材の一端を固定するとともに台車とは離れた位置に設けられて索条部材を巻き取ったり巻き戻したりするための巻回手段に他端を巻回し、前記索条部材を前記一対の滑車に掛けるとともに一対の滑車の間から垂下した索条部材に動滑車を介してハンガーを吊り下げたことを特徴とする。
【０００８】
【発明の実施の形態】
以下、本発明による介護用リフトの実施の形態を説明する。
【０００９】
図１に示すように、家屋の天井には水平方向に沿って一対のレール８が設けられている。図２に示すように、一対のレール８は断面形状がＩ型のものが用いられ、一対の柱９，１０間に橋渡しするように相互に略平行に水平方向へ並べて設けられている。
【００１０】
この一対のレール８間には、レール８に沿って移動自在に台車１１が設けられている。台車１１は図２，図３に示すように枠体１２と、枠体１２を貫通する一対の軸１３と、夫々の軸１３に対して回転自在に枠体１２内に設けられた滑車１４と、夫々の軸１３の両端に回転自在に設けられた車輪１５とで構成されている。そして、両側の車輪１５が一対のレール８の下部の上に載っており、台車１１は一対のレール８から外れることがないようになっている。
【００１１】
一対のレール８間の上部には索条部材としてのワイヤ１６が配設され、その一端が図示しない固着手段を介してレール８に固着される一方、他端はプーリ１７，１８を介して巻回手段１９に導かれている。巻回手段１９は柱１０に取り付けられており、ワイヤ１６を巻回するドラム２０と、ドラム２０に連動連結した図示しないモータとで構成されている。
【００１２】
一対のレール８間に張られたワイヤ１６は一対の滑車１４間において下方へ垂れ下がっており、垂れ下がったワイヤ１６には動滑車２１を介してハンガー２２が吊り下げられている。
【００１３】
巻回手段１９を操作するため、巻回手段１９には、ワイヤ１６をドラム２０に巻き取ってハンガー２２を上昇させる２つの押し釦と、反対にハンガー２２を降下させる２つの押し釦とが設けられている。いずれも２つの押し釦を設けたのは、人を吊り下げているときには低速で昇降させ、ハンガーのみの場合は高速で昇降させるためである。このほか、遠隔操作ができるように、無線あるいは光を用いたリモコンが設けられている。巻回手段１９のモータに接続する電源としては、バッテリー又はＡＣ１００Ｖが用いられる。
【００１４】
次に、斯かる介護用リフトの作用を説明する。被介護者を吊り上げるには、巻回手段１９のドラム２０を回転させて、ワイヤ１６を繰り出す。すると、台車１１が停止した状態でワイヤ１６がたるむため動滑車２１及びハンガー２２が自重で降下する。ロープ等を介して被介護者をハンガー２２に吊るしたら、前記とは反対にドラム２０にワイヤ１６を巻き取る。すると、ハンガー２２と共に被介護者が上昇する。
【００１５】
このあとは、介護人が被介護者を一対のレール８に沿って押す。すると、一対のプーリ１４のうちの一方が回転しながらワイヤ１６を下方へ繰り出し、他方が回転しながら下方のワイヤ１６を引き上げることになって一対のプーリ１４間から下方へ垂下するワイヤ１６の長さは変化することなく、車輪１５が転がって台車１１は一対のレール８に沿って移動する。
【００１６】
目的地へ着いたら、前記と同様にして被介護者を降下させハンガー２２から外す。以上で被介護者の移動が終了する。この状態でハンガー２２を放置すると通行の際の支障になるので、再び巻回手段１９を操作してハンガー２２を上昇させる。ハンガー２２は、動滑車２１が一対の滑車１４の間へはいり込む位置まで上昇させることができる。
【００１７】
なお、本実施例では台車の水平方向への移動は手動で行う構成になっているが、滑車１４又は車輪１５を回転駆動する駆動手段を設けて電動にしてもよい。また、索条部材としてはワイヤに代えてロープ等を用いてもよい。更に、巻回手段を本実施例では柱に取り付けて露出させているが、壁の中へ埋め込むようにしてもよい。
【００１８】
【発明の効果】
以上の説明からわかるように、請求項１に係る介護用リフトによれば台車上の一対の滑車から垂下するワイヤにハンガーを吊り下げ、ワイヤを繰り出したり巻き取ったりする巻回手段を台車とは離れた位置に設けたので、ハンガーを昇降させるための駆動部が従来のようにレールとハンガーとの間に存在しない。従って、ハンガーを最上位置まで上昇させておくことにより、ハンガー等が従来のように通行の際の障害になることがない。
【図面の簡単な説明】
【図１】本発明による介護用リフトの実施の形態を示す構成図。
【図２】図１のＡ−Ａ矢視図。
【図３】本発明による介護用リフトの実施の形態に係り、台車の斜視図。
【図４】従来の介護用リフトの構成図。
【符号の説明】
８…レール
１１…台車
１４…滑車
１６…ワイヤ
１９…巻回手段
２１…動滑車
２２…ハンガー
【図１】
2004089427.tif 000003
【図２】
2004089427.tif 000004
【図３】
2004089427.tif 000005
【図４】
2004089427.tif 000006